(57)【要約】【課題】クレセント錠と同様な施錠機能を有しながらも、空き巣等にガラスを割って解錠されるようなおそれがなく、防犯上有効な窓装置を提供する。【解決手段】窓枠内に障子や面格子等の開閉仕切具１，２を引き違い式に設け、両開閉仕切具１，２の召し合わせ框１１，１１には開閉仕切具１，２が閉鎖する方向に互いにテーパ係合して両召し合わせ框１１，１１を召し合わせ位置にロックするテーパ係合部材３，４を設け、各開閉仕切具１，２の召し合わせ框１１，１１とは反対側の戸尻側框１２と、その框１２が当接する窓枠５の縦枠部１０との間に、開閉仕切具１，２を閉鎖位置に施錠する開閉仕切具施錠機構６を介装する。【選択図】図２
2009046867.tif 000002
【特許請求の範囲】
【請求項１】
窓枠内に障子や面格子等の開閉仕切具を引き違い式に設け、開閉仕切具の召し合わせ框には開閉仕切具が閉鎖する方向に互いにテーパ係合して両召し合わせ框を召し合わせ位置に引き付けた状態にロックするテーパ係合部材を設け、開閉仕切具の戸尻側框と、その框が当接する窓枠の縦枠部との間に、開閉仕切具を閉鎖位置に施錠する開閉仕切具施錠機構を介装してなる窓装置。
【請求項２】
開閉仕切具施錠機構は、開閉仕切具の戸尻側框に取り付けられた係止片と、その係止片に対し係脱自在な被係止片を有し、窓枠の縦枠部内で係止片が被係止片に係止する施錠位置と係止片が被係止片から離脱する解錠位置とに亘ってスライド自在に支持されるスライド杆と、スライド杆を施錠位置に付勢するバネと、このバネの付勢力に抗してスライド杆を解錠位置にスライド操作するための操作手段とからなる請求項１に記載の窓装置。
【請求項３】
開閉仕切具施錠機構は、開閉仕切具が解錠された時に開閉仕切具を開放方向に押圧する手段を有してなる請求項１又は２に記載の窓装置。
【発明の詳細な説明】
【技術分野】
【０００１】
本発明は、窓枠内に障子や面格子等の開閉仕切具を引き違い式に設けてなる窓装置に関するものである。
【背景技術】
【０００２】
窓枠内に障子等が引き違い式に設けられた従来の窓装置では、引き違い障子等の召し合わせ框にクレセント錠を取り付けて、その障子等を閉鎖位置に施錠するようにしている。このクレセント錠は、窓枠内の室外側にくる障子の召し合わせ框に受け金物を取り付け、それとかみ合うよう三日月形の回転する金物を室内側にくる障子の召し合わせ框に取り付けるもので、開閉操作が非常に簡単で、コストも安いことから、引き違い窓障子の施錠手段として広く採用されている。
【発明の開示】
【発明が解決しようとする課題】
【０００３】
ところが、このクレセント錠を装備した窓装置は、空き巣に狙われ易く、簡単に解錠されるという問題がある。即ち、召し合わせ框の中程にある金物周辺のガラスをドライバーやバールで割り、手を差し込んでクレセントを解錠する手口で、普通のガラス板の場合、数十秒程度で室内に侵入されてしまうのが実情である。
【０００４】
本発明は、上記のような課題に鑑み、クレセント錠と同様な施錠機能を有しながらも、空き巣等にガラスを割って解錠されるようなおそれがなく、防犯上有効な窓装置を提供することを目的とする。
【課題を解決するための手段】
【０００５】
上記課題を解決するための手段を、後述する実施形態の参照符号を付して説明すると、請求項１に係る発明の窓装置は、窓枠５内に障子や面格子等の開閉仕切具１，２を引き違い式に設け、開閉仕切具１，２の召し合わせ框１１，１１には開閉仕切具１，２が閉鎖する方向に互いにテーパ係合して両召し合わせ框１１，１１を召し合わせ位置に引き付けた状態にロックするテーパ係合部材３，４を設け、開閉仕切具１，２の戸尻側框１２と、その框１２が当接する窓枠５の縦枠部１０Ａ，１０Ｂとの間に、開閉仕切具１，２を閉鎖位置に施錠する開閉仕切具施錠機構６を介装してなることを特徴とする。
【０００６】
請求項２は、請求項１に記載の窓装置において、開閉仕切具施錠機構６は、開閉仕切具１，２の戸尻側框１２に取り付けられた係止片１７と、その係止片１７に対し係脱自在な被係止片１８を有し、窓枠５の縦枠部１０Ａ，１０Ｂ内で係止片１７が被係止片１８に係止する施錠位置と係止片１７が被係止片１８から離脱する解錠位置とに亘ってスライド自在に支持されるスライド杆１９と、スライド杆１９を施錠位置に付勢するバネ２０と、このバネ２０の付勢力に抗してスライド杆１９を解錠位置にスライド操作するための操作手段２１とからなることを特徴とする。
【０００７】
請求項３は、請求項１又は２に記載の窓装置において、開閉仕切具施錠機構６は、開閉仕切具１，２が解錠された時に開閉仕切具１，２を開放方向に押圧する手段２２を有してなることを特徴とする。
【発明の効果】
【０００８】
上記解決手段による発明の効果を、後述する実施形態の参照符号を付して説明すると、請求項１に係る発明の窓装置は、開閉仕切具１，２の召し合わせ框１１，１１には、開閉仕切具１，２の閉鎖方向に互いにテーパ係合して両召し合わせ框１１，１１を召し合わせ位置に引き付けた状態にロックするテーパ係合部材３，４を設け、開閉仕切具１，２の戸尻側框１２と、その框１２が当接する窓枠５の縦枠部１０Ａ，１０Ｂとの間に、開閉仕切具１，２を閉鎖位置に施錠する開閉仕切具施錠機構６を介装してなるもので、召し合わせ框１１，１１に設けたテーパ係合部材３，４が、従来のクレセント錠と同様な施錠機能を発揮することができながら、クレセント錠のように空き巣等にガラスを割って解錠されるようなおそれがなく、従って防犯上きわめて有効である。
【０００９】
請求項２の窓装置によれば、ガラス障子１，２が閉鎖された状態では開閉仕切具施錠機構６の構成部材が全てガラス障子１，２の戸尻側框１２内部及び窓枠５の縦枠部１０内部に隠蔽されてしまうから、防犯上きわめて有効であると共に外観上の体裁も良好となり、しかも解錠及び施錠操作が簡単容易となる。
【００１０】
請求項３の窓装置のように、開閉仕切具１，２が解錠された時に開閉仕切具１，２を開放方向に押圧する手段２２を設けることによって、ガラス障子１，２の開放操作が容易となる。
【発明を実施するための最良の形態】
【００１１】
以下に本発明の好適な一実施形態を図面に基づいて説明すると、図１ は本発明に係る窓装置を室内側から見た正面図、図２は図１のＸ−Ｘ線拡大断面図、図３は図１のＹ−Ｙ線拡大断面図であり、図４の(a) ，(b) は図１のＺ−Ｚ線拡大断面図であり、図５は図１の(a) の一部拡大破断図である。この窓装置は、建物の窓開口部Ｏに設けられた窓枠５内に開閉仕切具としての２枚のガラス障子１，２を引き違い式に設け、両ガラス障子１，２の召し合わせ框に、障子１，２の閉鎖方向に互いにテーパ係合して両召し合わせ框１１，１１を召し合わせ位置に互いに引き付けた状態にロックするテーパ係合部材３，４を設け、各ガラス障子１，２の召し合わせ框１１とは反対側（戸尻側）の框１２と、その框１２が当接する窓枠５の縦枠部１０Ａ，１０Ｂとの間に、ガラス障子１，２を閉鎖位置に施錠する開閉仕切具施錠機構６を介装してなるものである。図１〜図３において、７ａは窓枠５の室内側に設けられた室内側化粧枠、７ｂと窓枠５の室外側に設けられた室外側化粧枠である。
【００１２】
窓枠５は、夫々アルミ押出型材よりなる上下横枠部８，９と左右縦枠部１０Ａ，１０Ｂとで矩形枠状に形成され、上横枠部８には上レール８ａ，８ｂが、また下横枠部９には下レール９ａ，９ｂが夫々形成され、ガラス障子１は上下レール８ａ，９ａに沿って、またガラス障子２は上下レール８ｂ，９ｂに沿って夫々スライド自在に嵌装される。なお、窓枠５の左右縦枠部１０Ａ，１０Ｂを図８に拡大横断面図で示している。即ち、図８の(a) に示すように、左右縦枠部１０Ａ，１０Ｂには夫々正面側に正面化粧プレート３０が係嵌部３１，３２を介して係嵌式に嵌め込まれている。
【００１３】
各ガラス障子１，２は、召し合わせ框１１と、これとは反対側に位置する戸尻側框１２と、上框１３及び下框１４とによって枠組みされる障子枠１５にガラス板１６を嵌装してなるものであり、両ガラス障子１，２の召し合わせ框１１，１１には、図２の(a) ，(b) に示すようにガラス障子１，２の閉鎖方向に互いにテーパ係合して両召し合わせ框１１，１１を召し合わせ位置に引き付けた状態にロックするテーパ係合部材３，４が設けられ、テーパ係合部材３は室外側ガラス障子１の召し合わせ框１１に設けられ、テーパ係合部材４は室内側ガラス障子２の召し合わせ框１１に設けられている。
【００１４】
室外側ガラス障子１の召し合わせ框１１に設けられたテーパ係合部材３は、その召し合わせ框１１の室内側に召し合わせ框１１の全長に亘って一体に形成された横断面略直角三角形状の突条片３ａからなり、また室内側ガラス障子１の召し合わせ框１１に設けられたテーパ係合部材４も、その召し合わせ框１１の室外側に召し合わせ框１１の全長に亘って一体に形成された横断面直角三角形状の突条片４ａからなるもので、両突条片３ａ，４ａのテーパ面３ｏ，４ｏが互いにテーパ係合して、その楔作用により、図２の(a) に示すように両召し合わせ框１１，１１を召し合わせ位置に互いに引き付けた状態にロックするようになっている。
【００１５】
図４の(b) は、両ガラス障子１，２の召し合わせ框１１，１１が未だ召し合わせ位置に到達しておらず、両テーパ係合部材３，４が互いに離間した状態にあって、この状態から両ガラス障子１，２が閉鎖方向にスライドすると、両突条片３ａ，４ａのテーパ面３ｏ，４ｏが仮想線図示のように互いにテーパ係合し、その楔作用により、両召し合わせ框１１，１１を互いに引き付け合って図４の(a) に示すように召し合わせ位置にロックすることになる。
【００１６】
開閉仕切具施錠機構６は、各ガラス障子１，２の召し合わせ框１１とは反対側の框１２の上下２箇所に取り付けられた係止片１７と、この係止片１７に対して係脱自在な被係止片１８を有し、窓枠５の縦枠部１０Ａ，１０Ｂ内で係止片１７が被係止片１８に係止する施錠位置と係止片１７が被係止片１８から離脱する解錠位置とに亘ってスライド自在に支持されるスライド杆１９と、このスライド杆１９を施錠位置に付勢するコイルバネ２０と、このコイルバネ２０の付勢力に抗してスライド杆１９を解錠位置にスライド操作するための操作手段２１と、各ガラス障子１，２が解錠された時に各ガラス障子１，２を開放方向に押圧する押圧手段２２とを備えている。
【００１７】
図６に示すように、係止片１７は先端部にテーパ係合面１７ａを有し、被係止片１８は係止片１７のテーパ係合面１７ａに対応するテーパ係合面１８ａを有する。スライド杆１９は、窓枠５の縦枠部１０Ａ，１０Ｂ内のガイド部２３によって上下方向スライド自在に支持されていると共に、常時はコイルバネ２０で施錠位置に保持されている。
【００１８】
操作手段２１は、例えば図７の(a) に示すように、窓枠５の縦枠部１０Ａ，１０Ｂ内に取り付けた押しボタン３３からなるもので、この押しボタン３３は、常時は同図の実線図示のような非作用位置にバネ（図示省略）で保持されていて、そのバネ付勢力に抗して押しボタン３３を押すと、軸部本体３３ａの先端が、スライド杆１９に設けられたテーパガイド１９ａにテーパ係合してスライド杆１９を解錠位置に押し上げるようになっている。この押しボタン３３は、縦枠部１０Ａ，１０Ｂの正面側に嵌め込まれた正面化粧プレート３０の窓３０ｏから指を差し込んで操作するようになっており、そして窓３０ｏには図１に示すように蓋３４がヒンジ３５で開閉自在に取り付けてあって、ボタン操作時に図７の(a) に示すように蓋３４を開けてボタン３３を押すようになっている。この蓋３４を設けたことによって、ボタン３３が外部から見えなくなり、防犯上極めて有効であると共に、外観上の体裁も良好となる。
【００１９】
図７の(b) は回転式ハンドル３６からなる操作手段２１を示す。この回転式ハンドル３６は、窓枠５の縦枠部１０Ａ，１０Ｂ内に軸支した回転胴部３６ｏの外周に操作杆３６ａと押し上げ杆３６ｂとを例えば９０°の間隔で突設し、図示のように操作杆３６ａを同図の矢印方向に回転操作することにより、押し上げ３６ｂをスライド杆１９のテーパガイド１９ａに係合させて、スライド杆１９を解錠位置に押し上げるようにしたもので、回転胴部３６ｏは、常時は同図の実線図示のような非作用位置にバネ（図示省略）で保持されており、操作時に蓋３４を開けて操作杆３６ａを回転操作するようになっている。
【００２０】
図７の(c) はレバー式ハンドル３７からなる操作手段２１を示す。このレバー式ハンドル３６は、図示のようにレバー本体３７ａの先端部を窓枠５の縦枠部１０Ａ，１０Ｂ内に枢着すると共に、非操作時は同図の仮想線図示のようにハンドル３７の全体を縦枠部１０Ａ，１０Ｂ内に収納させるようにしておき、そして操作時に実線図示のように蓋３４を開け、レバー本体３７ａの基端部を持って下向きに回し、同図の実線図示のような水平位置で、レバー本体３７ａにスライド可能に支持されている押し上げ杆３７ｂを前方へ突き出すことにより、押し上げ杆３７ｂの先端をスライド杆１９のテーパガイド１９ａに係合させて、スライド杆１９を解錠位置に押し上げるようにしたもので、押し上げ杆３７ｂは、常時は同図の実線図示のような非作用位置にバネ（図示省略）で保持されており、操作時に操作片３７ｃを押すと、押し上げ杆３７ｂが前方へ突出してスライド杆１９のテーパガイド１９ａに係合するようになっている。
【００２１】
押圧手段２２は、ガラス障子１，２が解錠された時にガラス障子１，２を開放方向に押圧するように、窓枠５の縦枠部１０Ａ，１０Ｂ内の例えば上下２箇所に設けられている。各押圧手段２２は、図５及び図６から分かるように、縦枠部１０Ａ，１０Ｂに取り付けたブラケット２５に押圧ピン２６をガラス障子１，２の開閉方向にスライド自在に支持すると共に、押圧ピン２６とブラケット２５との間には、押圧ピン２６の先端側を縦枠部１０Ａ，１０Ｂの内側壁１０ｂに設けた孔２７からガラス障子１，２の戸尻側端面と対向する方向に突出させるように付勢するコイルバネ２８を介装し、押圧ピン２６の基端部には当該ピン２６の突出長さを規制するストッパー２９を設けてなるものである。
【００２２】
次に、上記のような構成よりなる窓装置の作用について説明する。
【００２３】
図１及び図２に示すように２枚のガラス障子１，２が閉鎖された状態においては、両ガラス障子１，２の召し合わせ框１１，１１は室内外方向に互いに重合する召し合わせ位置にあり、この位置においてテーパ係合部材３，４が互いにテーパ係合して、その楔作用により、両召し合わせ框１１，１１を互いに引き付けて召し合わせ位置にロックする一方、召し合わせ框１１，１１とは反対側の框１２が、窓枠５の縦枠部１０Ａ，１０Ｂに当接した位置で開閉仕切具施錠機構６により施錠され、それによって両ガラス障子１，２は閉鎖位置に固定保持されている。
【００２４】
ガラス障子１，２を開放する際には、例えば図１に示される左側のガラス障子１を開放する時は窓枠５の左側の縦枠部１０Ａに設けてある操作手段２１の例えば押しボタン３３を操作すれば、開閉仕切具施錠機構６によるガラス障子１の施錠が解除され、しかしてこのガラス障子１は、押圧手段２２の押圧ピン２６で開放方向（右方向）へ押圧され、この押圧力によってガラス障子１の召し合わせ框１１のテーパ係合部材３が右側のガラス障子２の召し合わせ框１１にあるテーパ係合部材４から離脱し、左側のガラス障子１を自由に開放させることができる状態となり、この状態を図６に示す。
【００２５】
そして右側のガラス障子２は、窓枠５の右側の縦枠部１０Ｂにある操作手段２１を上記同様に解除操作すれば、開閉仕切具施錠機構６によるガラス障子２の施錠が解除されるから、この右側のガラス障子２も自由に開放させることができる状態となる。なお、操作手段２１を解除操作した後は、スライド１９は、コイルバネ２０の付勢力によって施錠位置に復帰する。
【００２６】
上記のようにして開放されたガラス障子１，２を閉鎖する時は、例えば左側のガラス障子１の戸尻側框１２を閉鎖方向にスライドさせて窓枠５の縦枠部１０Ａに当接させるようにすると、開閉仕切具施錠機構６の係止片１７のテーパ係合面１７ａが縦枠部１０Ａ内にあるスライド杆１９の被係止片１８のテーパ係合面１８ａに係合して、その楔作用によりスライド杆１９が押し上げられて係止片１７が被係止片１８に係止し、施錠される。右側のガラス障子２も上記左側のガラス障子１と同じように、その戸尻側框１２を閉鎖方向にスライドさせて窓枠５の縦枠部１０Ｂに当接させることにより、開閉仕切具施錠機構６の係止片１７が被係止片１８に係止して施錠される。
【００２７】
また、開放されたガラス障子１，２を閉鎖する時は、例えば図６の(b) に示すように、操作手段２１によってスライド杆１９を解錠位置に引き上げたままの状態で、ガラス障子１を閉じるようにしてもよい。
【００２８】
また上記のようにガラス障子１，２を閉鎖する時には、窓枠５の縦枠部１０Ａ，１０Ｂの内側面から突出している押圧ピン２６をそのバネ２８の付勢力に抗して縦枠部１０内に押し込むように戸尻側框１２を縦枠部１０の内側面に押し当てる必要がある。
【００２９】
以上説明したような窓装置によれば、両ガラス障子１，２の召し合わせ框１１，１１にガラス障子１，２が閉鎖する方向に互いにテーパ係合して両召し合わせ框１１，１１を召し合わせ位置に引き付けた状態にロックするテーパ係合部材３，４を設け、各開閉仕切具１，２の召し合わせ框１１，１１とは反対側の框１２と、その框１２が当接する窓枠５の縦枠部１０Ａ，１０Ｂとの間に、開閉仕切具１，２を閉鎖位置に施錠する開閉仕切具施錠機構６を介装しているから、召し合わせ框１１，１１に設けたテーパ係合部材３，４が、従来のクレセント錠と同様な施錠機能を発揮することができながら、クレセント錠のように空き巣等にガラスを割って解錠されるようなおそれがなく、従って防犯上きわめて有効となる。
【００３０】
また、各ガラス障子１，２の召し合わせ框１１，１１とは反対側の戸尻側框１２と、これが当接する窓枠５の縦枠部１０Ａ，１０Ｂとの間でガラス障子１，２を閉鎖位置に施錠する開閉仕切具施錠機構６は、各ガラス障子１，２の戸尻側框１２に取り付けられた係止片１７と、その係止片１７に対し係脱自在な被係止片１８を有し、窓枠５の縦枠部１０内で係止片１７が被係止片１８に係止する施錠位置と係止片１７が被係止片１８から離脱する解錠位置とに亘ってスライド自在に支持されるスライド杆１９と、スライド杆１９を施錠位置に付勢するバネ２０と、このバネ２０の付勢力に抗してスライド杆１９を解錠位置にスライド操作するための操作手段２１とからなるもので、ガラス障子１，２が閉鎖された状態では開閉仕切具施錠機構６の構成部材が全てガラス障子１，２の戸尻側框１２内部及び窓枠５の縦枠部１０Ａ，１０Ｂ内部に隠蔽されてしまうから、防犯上きわめて有効であると共に、外観上の体裁も良好となり、しかも解錠及び施錠操作が簡単容易となる。
【００３１】
また、この開閉仕切具施錠機構６には、開閉仕切具１，２が解錠された時に開閉仕切具１，２を開放方向に押圧する手段２２を設けているから、この押圧手段２２により、ガラス障子１，２の開放操作が容易となる。
【００３２】
以上説明した実施形態の窓装置は窓枠５内に２枚のガラス障子１，２を引き違い式に設けた場合であるが、本発明は、窓枠５内に３枚以上のガラス障子を設けた窓装置を含むものである。例えば３枚のガラス障子を引き違い式に設けた場合は、中間に位置するガラス障子にはその窓枠の左右両框が夫々召し合わせ框となるから、その左右框の夫々にテーパ係合部材を設けることになり、そして両端に位置されるガラス障子は、その外側の框が戸尻側框となり、その戸尻側框と窓枠の縦枠部との間に開閉仕切具施錠機構が介装されることになる。
【００３３】
また、上述した実施形態の窓装置では、窓枠内にガラス障子を引き違い式に設けたが、開閉仕切具としては、ガラス障子に限らず、ガラス以外の障子や面格子等を使用することができるものである。
【図面の簡単な説明】
【００３４】
【図１】本発明に係る窓装置を室内側から見た正面図である。
【図２】図１のＸ−Ｘ線拡大断面図である。
【図３】図１のＹ−Ｙ線拡大断面図である。
【図４】(a) ，(b) は図１のＺ−Ｚ線拡大断面図である。
【図５】図５は図１の(a) の一部拡大破断図である。
【図６】(a) ，(b) は開閉仕切具施錠機構の動作を説明する説明図である。
【図７】(a) は押しボタンからなる操作手段の説明図、(b) は回転式ハンドルからなる操作手段の説明図、(c) はレバー式ハンドルからなる操作手段の説明図である。
【図８】(a) ，(b) は窓枠の左右縦枠部に正面化粧プレートを嵌め込む状態の拡大横断面図である。
【符号の説明】
【００３５】
１，２          ガラス障子（開閉仕切具）
３，４          テーパ係合部材
５              窓枠
６              開閉仕切具施錠機構
１１            召し合わせ框
１２            戸尻側框
１７            係止片
１８            被係止片
１９            スライド杆
２０            バネ
２１            操作手段
２２            押圧手段
【図１】
2009046867.tif 000003
【図２】
2009046867.tif 000004
【図３】
2009046867.tif 000005
【図４】
2009046867.tif 000006
【図５】
2009046867.tif 000007
【図６】
2009046867.tif 000008
【図７】
2009046867.tif 000009
【図８】
2009046867.tif 000010